(57)【特許請求の範囲】
【請求項１】
投入されたコインの種別を識別するコイン識別部と、該コイン識別部で識別されたコインのうち所定のコインをコイン通路上に一時保留する一時保留部と、該一時保留部で保留されたコインをコイン収納部又は返却口に振り分ける振り分け部とを備えた自動販売機等のコイン処理装置において、
前記振り分け部は、コインを返却口又は前記コイン収納部に連通するコイン収納通路に振り分ける上振り分け部と、該コイン収納通路に振り分けられたコインをコインチューブ又は金庫に振り分ける下振り分け部とからなり、
前記上振り分け部はコイン返却指令があったときは前記返却口に向かって、商品購入指令があったときは前記コイン収納通路に向かってそれぞれ振り分け、また、前記下振り分け部は常時は前記コインチューブに向かって、該コインチューブの収納禁止指令があったときは前記金庫に向かってそれぞれ振り分ける制御手段を有する
ことを特徴とするコイン処理装置。
【請求項２】
前記所定のコインは最も高額なコインである
ことを特徴とする請求項１記載のコイン処理装置。
【請求項３】
前記下振り分け部がコインを金庫に向かって振り分けるよう前記制御手段に出力する金庫収納指令スイッチを有する
ことを特徴とする請求項１又は請求項２記載のコイン処理装置。
【請求項４】
前記制御手段は紙幣処理装置が搭載されているとき前記下振り分け部がコインを金庫に向かって振り分けるよう制御する
ことを特徴とする請求項１又は請求項２記載のコイン処理装置。
【発明の詳細な説明】
【０００１】
【発明の属する技術分野】
本発明は、自動販売機等に内蔵され、投入されたコインを一時保留する構造を備えたコイン処理装置に関するものである。
【０００２】
【従来の技術】
従来、自動販売機に内蔵され、コイン一時保留機能を備えたコイン処理装置として特開平１１−２８８４８０号公報に開示されたものが知られている。
【０００３】
このコイン処理装置において、商品購入のためにコインが投入されたときは、このコインの正偽及びコインの種別をコイン識別装置で識別し、コインが偽貨のときは返却口に戻し、一方、コインが正貨のときは、コインの種別に対応して振り分け部を駆動し、各コイン通路を通じて各種コインチューブに収納する。ここで、投入されたコインが５００円コインの場合は、５００円のコイン通路に設置された一時保留部で一旦保留し、商品の購入操作（商品選択ボタンの押し操作）が行われたとき、コイン保留を解除し、５００円コインを第１振り分け部で５００円用のコインチューブ側に振り分け、５００円用のコインチューブに収納する。一方、コインの返却操作（返却レバーの回動操作）が行われたときは、コイン保留を同じく解除し、第１振り分け部で金庫及び返却通路側に振り分け、更に第２振り分け部（金庫又は返却口に振り分ける振り分け部）で返却口に振り分け、この５００円コインを返却口に戻す。
【０００４】
このようにコイン返却操作が行われたとき、投入された５００円コインをそのまま返却する構造を採用することにより、偽造・変造５００円コイン（正貨と誤判定される偽５００円コイン）を投入して返却操作時にコインチューブから５００円に対応する正貨を受け取るという、犯罪両替行為を防止している。
【０００５】
【発明が解決しようとする課題】
しかしながら、前記従来のコイン処理装置では、商品購入操作があったときは、５００円コインが全てコインチューブに導かれるため、このコインチューブが既に満杯のときは、コインチューブ側に前記第２振り分け部とは別個に、金庫に振り分けるための他の振り分け部が必要となる。
【０００６】
このような他の振り分け部はコインチューブ内の上部に設置されるのが通例であり、これにより、コインチューブの収納枚数が減少するという問題点を有しているし、また、この収納枚数の減少を回避するためには、振り分け部の設置分、コインチューブを大型化しなければならない。
【０００７】
また、５００円用のコインチューブは満杯枚数設定と少枚数設定の何れかを選択できるよう要求されている。即ち、満杯枚数設定は釣り銭として払い出される５００円コインをコインチューブ内に多数枚保有しておくために行われる設定であり、一方、少枚数設定（例えば４枚）は高額な５００円コインの返却をできるだけ少なくして偽造・変造５００円コインの投入による損害を少なくするために行われる設定である。しかしながら、前記従来のコイン処理装置では５００円コインが全てコインチューブに導かれるため、少枚数設定が不可能となる。
【０００８】
本発明の目的は前記従来の課題に鑑み、コインチューブの収納容量を大きくでき、また、コインチューブの少枚数設定が可能なコイン処理装置を提供することにある。
【０００９】
【課題を解決するための手段】
本発明は前記従来の課題に鑑み、請求項１の発明は、投入されたコインの種別を識別するコイン識別部と、コイン識別部で識別されたコインのうち所定のコインをコイン通路上に一時保留する一時保留部と、一時保留部で保留されたコインをコイン収納部又は返却口に振り分ける振り分け部とを備えた自動販売機等のコイン処理装置において、振り分け部は、コインを返却口又はコイン収納部に連通するコイン収納通路に振り分ける上振り分け部と、コイン収納通路に振り分けられたコインをコインチューブ又は金庫に振り分ける下振り分け部とからなり、上振り分け部はコイン返却指令があったときは返却口に向かって、商品購入指令があったときはコイン収納通路に向かってそれぞれ振り分け、また、下振り分け部は常時はコインチューブに向かって、コインチューブの収納禁止指令があったときは金庫に向かってそれぞれ振り分ける制御手段を有する構造となっている。
【００１０】
請求項１の発明によれば、一時保留部から保留解除されたコインが、コイン収納部に入る前段階で、返却口、金庫又はコインチューブに振り分けられる。即ち、従来の如く、コインチューブの一部に振り分け機構を設置する必要がないので、コインチューブのコイン収納容量が大きくなる。
【００１１】
また、コインチューブの収納量を少枚数に設定する場合でも、下振り分け部を制御することにより、この設定を実現することができる。
【００１２】
なお、この一時保留されるコインとして請求項２の発明の如く最も高額な５００円コインとしても良い。
【００１３】
また、紙幣処理装置が搭載されていない自動販売機等にコイン処理装置を搭載する場合は、釣り銭として５００円コインが不要となっている。即ち、５００円以下の価格である例えば１２０円の缶飲料を購入する際は、５００円コイン１枚を投入、１００円コイン２枚を投入、或いは、１００円コイン１枚と５０円コイン１枚を投入、する場合が考えられるが、何れの場合も５００円コインの釣り銭は不要である。また、５００円以上の価格の商品を購入する場合も勿論同じく５００円コインの釣り銭が不要となっている。
【００１４】
このような場合は、請求項３の発明の如く、５００円コインを釣り銭に使用されるコインチューブに収納することなく、金庫に収納するよう、金庫収納指令スイッチを設置するようにしても良い。また、紙幣処理装置の有無を制御手段が判断し、紙幣処理装置が搭載されていないときは、５００円コインを金庫に収納するよう下振り分け部を制御するようにしても良い。
【００１５】
【発明の実施の形態】
図１乃至図９は本発明に係るコイン処理装置の一実施形態を示すもので、図１はコイン処理装置のコイン識別部及びコイン振り分け部を示す内部構造図、図２はコイン処理装置のコイン振り分け部及びコイン収納部の構造を示す斜視図、図３の(a)(b)は第２振り分け部の動作を示す断面図、図４の(a)(b)は第６振り分け部及び第７振り分け部の動作を示す断面図、図５は第５振り分け部及び第８振り分け部の動作を示す断面図、図６はコイン処理装置の駆動制御回路を示すブロック図、図７は５００円コインの振り分け制御を示すフローチャート、図８の(a)〜(d)はコイン１枚の一時保留動作及び搬出動作を示す概略説明図、図９の(a)〜(e)はコイン２枚の一時保留動作及び搬出動作を示す概略説明図である。
【００１６】
まず、コイン処理装置の概略構成を図１及び図２を参照して説明する。即ち、このコイン処理装置は例えば自動販売機に搭載されており、投入口１から投入されたコイン（１０円コイン、５０円コイン、１００円コイン、５００円コイン）を識別するコイン識別部１０と、コイン識別部１０で識別されたコインを振り分けるコイン振り分け部２０と、コイン振り分け部２０で振り分けられたコインを収納するコイン収納部３０とから構成されており、購入商品に対する金銭処理を行っている。
【００１７】
コイン識別部１０は通常所定周波数の信号を投入コインに発信し、その受信周波数の変化に基づき、正貨、偽貨、更には１０円コイン、５０円コイン、１００円コイン、５００円コインの種別を識別している。
【００１８】
コイン振り分け部２０は、コイン転動の上手側から下手側に向かって、第１〜第８の振り分け部２０１〜２０８を有している。
【００１９】
ここで、第１振り分け部２０１は、回動式の回動フラッパ２０１ａを有し、この回動フラッパ２０１ａをソレノイドＳＣ１で回動する。ソレノイドＳＣ１が非励磁状態（ＯＦＦ）のときは（投入コインが偽貨と判定したとき）は、投入コインが回動フラッパ２０１ａの前面を通り、図示しない返却通路を通じて返却口に返却される。一方、励磁状態（ＯＮ）のときは（投入コインが正貨であると判定したときは）、投入コインを回動フラッパ２０１ａの裏側に通し、第２振り分け部２０２に向かって落下する。このように、第１振り分け部２０１は投入コインの真偽に基づき振り分ける機能を有している。
【００２０】
第２振り分け部２０２は、図３の(a)(b)にも示すように、第１振り分け部２０１で正貨を判定されたコインを１００円コインとそれ以外の１０円コイン、５０円コイン及び５００円コインに振り分けるものである。この第２振り分け部２０２は二股に分岐した前後のガイド２０２ａ，２０２ｂを有し、これをソレノイドＳＣ２でコイン通路Ａから出没させている。このソレノイドＳＣ２が非励磁（ＯＦＦ）のときは、図３の(a)に示すように、１０円コイン、５０円コイン及び５００円コインを後方のガイド２０２ｂに転動させて第３振り分け部２０３に向かって案内する。一方、励磁状態（ＯＮ）のときは図３の(b)に示すように、第２振り分け部２０２を後方に向かって引き、これにより、１００円コインを前方のガイド２０２ａに落下させて第４振り分け部２０３に向かって案内している。なお、１０円コインのコインチューブＣＴ１０や５０円のコインチューブＣＴ５０が満杯の時も前述を同様の操作により第４振り出し部２０４に向かって１０円コイン及び５０円コインを案内する。
【００２１】
第３振り分け部２０３は、第２振り分け部２０２で振り分けられた１０円コイン及び５０円コインと５００円コインに振り分けるものである。この第３振り分け部２０３は回転軸２０３ａから上手側に向かって延在した回動フラッパ２０３ｂを有し、この回動フラッパ２０３ｂの中央寄りの側面ピン２０３ｃにソレノイドＳＣ３を連結し、回動フラッパ２０３ｂを回動する。また、この第３振り分け部２０３の回転軸２０３ａから下手側には第１の一時保留部２１１が形成されている。この一時保留部２１１は回転軸２０３ａからコイン通路Ａの下手側に向かって回動アーム２１１ａが延在されており、この回動アーム２１１ａの先端にはコイン通路Ａに向かって突出した保留突起２１１ｂを有する。
【００２２】
ここで、ソレノイドＳＣ３が非励磁状態（ＯＦＦ）のときは（５００円コインを振り分けるときは）回動フラッパ２０３ｂがコイン通路Ａから離隔しコイン通路Ａを開放する一方、回動アーム２１１ａがコイン通路Ａに向かって回転し保留突起２１１ｂの先端がコイン通路Ａを遮断する。これに対して、ソレノイドＳＣ３が励磁状態（ＯＮ）のときは（１０円及び５０円コインを振り分けるとき）、回動フラッパ２０３ｂがコイン通路Ａに向かって回転しコイン通路Ａを閉鎖する一方、回動アーム２１１ａがコイン通路Ａから離隔するよう回転し、保留突起２１１ｂによるコイン通路Ａの遮断を解除する。
【００２３】
また、このコイン通路Ａで回転軸２０３ａの近傍には、第２の一時保留部２１２がコイン通路Ａから出没自在に設置されている。この第２の一時保留部２１２はソレノイドＳＣ４が非励磁状態（ＯＦＦ）のときはコイン通路Ａから突出してコインの移動を規制し、一方、励磁状態（ＯＮ）のときは、コイン通路Ａから後退してコインがコイン通路Ａを移動できるようにしている。
【００２４】
第４振り分け部２０４は第２振り分け部２０２で振り分けられた１００円コインを振り分けるものである。この第４振り分け部２０４は回動式の回動フラッパ２０４ａを有し、この回動フラッパ２０４ａを前記第２の一時保留部２１２と同様にソレノイドＳＣ４で回動している。ここで、ソレノイドＳＣ４が励磁状態（ＯＮ）のときは（１００円のコインチューブＣＴ１００が満杯のときは）、回動フラッパ２０４ａが開き、１００円コインを金庫通路Ｂ（回動フラッパ２０４ａの裏側）に導き図示しない金庫に導入する。一方、非励磁状態（ＯＦＦ）のときは回動フラッパ２０４ａが金庫通路Ｂを閉鎖しており、１００円コインを回動フラッパ２０４ａの表面側に転動させ、下方に向かって落下させる。なお、１０円コインのコインチューブＣＴ１０や５０円のコインチューブＣＴ５０が満杯の時も前述を同様の操作により金庫通路Ｂに向かって１０円コイン及び５０円コインを案内する。
【００２５】
第５振り分け部（上振り分け部）２０５は、第３振り分け部２０３及び各一時保留部２１１，２１２を通って転動した５００円コインを、返却口に連通する返却通路Ｃとコイン収納路Ｄを通じてコイン収納部（金庫通路Ｂ及び５００円用のコインチューブＣＴ５００）に振り分けるものである。この第５振り分け部２０５は回動式の回動フラッパ２０５ａを有し、この回動フラッパ２０５ａをソレノイドＳＣ５で回動する。ここで、ソレノイドＳＣ５が励磁状態（ＯＮ）のときは、回動フラッパ２０５ａが図５の破線矢印に示すように回転し、図２及び図５に示すように、５００円コインを返却通路Ｃに導く。一方、非励磁状態（ＯＦＦ）のときは回動フラッパ２０５ａが、図５の実線に示すように、返却通路Ｃを閉鎖するよう回転し、コイン収納路Ｄを介して５００円コインを後述する第８振り分け部２０８に導く。
【００２６】
第６振り分け部２０６、第７振り分け部２０７及び第８振り分け部２０８は、ソレノイドＳＣ６により制御されるもので、このソレノイドＳＣ６に連結する連結板２０９に一体に形成されている。
【００２７】
まず、第６振り分け部２０６を説明するに、第６振り分け部２０６は、第４振り分け部２０４で振り分けられた１００円コインを１００円用のコインチューブＣＴ１００と空きチューブＣＴ０に振り分けるもので、二股に分岐した前後のガイド２０６ａ，２０６ｂをソレノイドＳＣ６でコイン通路Ａから出没させている。このソレノイドＳＣ６が非励磁（ＯＦＦ）のときは、図４の(a)に示すように、１００円コインを後方のガイド２０６ｂに転動させてコインチューブＣＴ１００に落下・収納する。一方、励磁状態（ＯＮ）のときは、連結板２０９を後方に引き、これにより、１００円コインを前方のガイド２０６ａに落下させて空きコインチューブＣＴ０に落下・収納する。
【００２８】
第７振り分け部２０７は、第３振り分け部２０３で振り分けられた１０円・５０円を１０円用のコインチューブＣＴ１０と５０円用のコインチューブＣＴ５０に振り分けるものである。この第７振り分け部２０７は二股に分岐した前後のガイド２０７ａ，２０７ｂをソレノイドＳＣ６でコイン通路Ａから出没させている。このソレノイドＳＣ６が非励磁（ＯＦＦ）のときは、１０円コインを後方のガイド２０７ｂに落下させてコインチューブＣＴ１０に落下・に収納する。一方、励磁状態（ＯＮ）のときは、連結板２０９を後方に引き、これにより、５０円コインを前方のガイド２０７ａに落下させてコインチューブＣＴ５０に落下・収納する。
【００２９】
第８振り分け部（下振り分け部）２０８は、５００円コインを金庫通路又はコインチューブＣＴ５００に振り分けるもので、図２に示すように先端に向かって平行に延びる二股の案内隔壁２０８ａ，２０８ｂを有する。また、各案内隔壁２０８ａ，２０８ｂは斜め内側に向かってコイン滑走面を有し、このコイン滑走面にて５００円コインを底面中央の出口２０８ｃに案内している。ここで、ソレノイドＳＣ６が非励磁（ＯＦＦ）のときは、図５の実線で示すように、出口２０８ｃがコインチューブに対向しており、これにより、５００円コインをコインチューブＣＴ５００に導く。一方、励磁状態（ＯＮ）のときは、図５の破線で示すように後方にスライドし、５００円コインを後方の金庫通路Ｂに導く。
【００３０】
このように構成されたコイン処理装置は、図１に示すように、偽貨が投入されたときは、第１振り分け部２０１で振り分けられ返却通路を通じて返却口に返却される。１００円コインが投入されたときは、第１振り分け部２０１、第２振り分け部２０２、第４振り分け部２０４及び第６振り分け部２０６を通じて、金庫通路Ｂ、コインチューブＣＴ１００又は空きコインチューブＣＴ０に振り分けられる。１０円コインが投入されたときは、第１〜第４振り分け部２０１〜２０４及び第７振り分け部２０７を通じて、金庫通路Ｂ、コインチューブＣＴ１０に振り分けられる。５０円コインが投入されたときは、第１〜第４振り分け部２０１〜２０４及び第７振り分け部２０７を通じて、金庫通路Ｂ、コインチューブＣＴ５０に振り分けられる。
【００３１】
以上のような構成は従来のコイン処理装置においても有しており、本実施形態は５００円コインの投入時の制御に特徴を有する。
【００３２】
この本実施形態に係る特徴的構成を図６のブロック図及び図７を参照して説明する。まず、コイン処理装置の５００円コイン投入時の駆動制御回路を図６を参照して説明する。コイン処理装置の制御手段としてマイクロコンピュータ（マイコン）４０を有し、このマイコン４０にタイマ４０ａ及びコインのカウンタ４０ｂ等のソフトが組み込まれている。ここで、タイマ４０ａには各ソレノイドＳＣ１〜ＳＣ６がＯＮとなったときの励磁時間が設定され、また、カウンタ４０ｂは５００円コイン等の投入枚数を計数するようになっている。
【００３３】
また、マイコン４０の入力側には、コイン識別部１０、商品を購入する際に押圧する商品選択ボタン４１、５００円用のコインチューブＣＴ５００に設置されチューブ内が満杯になったか否かを検知するオーバーフローセンサ４２、コインチューブＣＴ５００の少枚数を設定する設定器４３、５００円コインを全て金庫に収納するよう指定するスイッチ４４、返却レバー４５がそれぞれ接続されており、コインの正偽・種別、オーバーフロー信号、少枚数設定信号、金庫収納信号、返却信号等がマイコンに出力されている。また、マイコン４０はこれらの信号等に基づいてソレノイド駆動回路４６を介して各ソレノイドＳＣ１〜ＳＣ６を駆動制御し、５００円コインの一時保留、保留解除更には５００円コインの振り分け制御を行っている。
【００３４】
図７のフローチャート及び各動作説明図を参照して、５００円コインの処理操作を説明する。５００円コイン（正貨）が投入されたときは（Ｓ１）、５００円コインの保留処理を行う（Ｓ２）。この保留処理では、ソレノイドＳＣ１を所定時間励磁する。これにより、第１振り分け部２０１の回動フラッパ２０１ａが回動し、図１の破線に示すように、５００円コインが回動フラッパ２０１ａの裏側に導かれる。そして、回動フラッパ２０１ａを通った５００円コインが、図３の(a)に示すように、第２振り分け部２０２の後方のガイド２０２ｂに落下する。そして、ガイド２０２ｂを転動して第３振り分け部２０３側に案内され、図８の(a)に示すように、第２の一時保留部２１２で保留される。
【００３５】
ここで、２枚目の５００円コインが投入されたときは、ソレノイドＳＣ４を所定時間励磁する。これにより、第２の一時保留部２１２が図９の(b)に示すようにコイン通路Ａから離脱し、図９の（a）に示す一枚目の５００円コインが第１の一時保留部２１１ｂに向かって転動し保留される一方、２枚目の５００円コインが第３振り分け部２０３の裏側に導入され、この２枚目の５００円コインもまた保留される。従って、図９の(c)に示すように、５００円コインが２枚保留される。なお、１枚目の５００円コインと２枚目の５００円コインとは、図１の２点鎖線に示すように互いに接触しており、２枚目のコインは１枚目のコインで保留された状態となっている（２枚目のコインは第２の一時保留部２１２とは接触していない）。
【００３６】
以上のように、５００円コインが１枚投入されたときは、図８の(a)に示すように一時保留され、一方、５００円コインが２枚投入されたときは、図９の(c)に示すように一時保留される。
【００３７】
この保留時に、商品購入信号（商品選択ボタン４１で商品が選択されたとき発生する信号）が入力されたか否か、返却レバー４４が操作された否かをそれぞれ判定する。ここで、商品購入信号が入力されたときは、５００円コインの保留解除処理を行う（Ｓ５）。この保留解除処理では、まず、投入された５００円コインの枚数が２枚か否かを判定する。投入枚数が１枚のときは、ソレノイドＳＣ４を所定時間励磁して、図８の(b)に示すように、第２の一時保留部２１２のコイン保留を解除する。これにより、コインが第１の一時保留部２１１の保留突起２１１ｂに向かって転動する。このソレノイドＳＣ４の励磁に続いてソレノイドＳＣ３を所定時間励磁する。これにより、図８の(c)に示すように、コインは保留突起２１１ｂに保留されることなく、第５振り分け部２０５に向かって転動する。このような一連の動作が完了した後、図８の(d)に示すように第３振り分け部２０３が待機状態に戻る。
【００３８】
一方、５００円コインの投入枚数が２枚のときは、ソレノイドＳＣ３を所定時間励磁する。これにより、図９の(d)に示すように、先頭の５００円コインが第５振り分け部２０５に向かって転動し、その後、図９の(e)に示すように、図９の(a)と同様の５００円１枚保留の状態となる。このように５００円コインの搬出が終了した後、５００円コインの枚数を１枚減算して５００円コインは１枚であると書き換える。なお、図９の(d)及び図９の(e)に示すように、５００円コインが１枚搬出された後、商品購入操作が連続して行われ、購入金額が５００円を超える金額となったときは、図８の(a)〜(d)に示す保留解除処理を行い、２枚目の５００円コインも第５振り分け部２０５側に搬出する。
【００３９】
この保留解除処理に続いて、金庫収納スイッチ４４がオンしているか否かを判定する（Ｓ６）。このスイッチ４４は、紙幣処理装置（図示しない）が設置されておらず、５００円コインが釣り銭とならないときに入力されるものである。ここで、金庫収納スイッチ４４がオンしているときは、コインチューブＣＴ５００に収容する必要がないので、金庫収納処理を行う（Ｓ７）。この金庫収納処理ではソレノイドＳＣ５，ＳＣ６を所定時間励磁する。これにより、図５の破線に示すように第５振り分け部２０５及び第８振り分け部２０８が作動し、５００円コインがコイン収納路Ｄを通り、更に金庫通路Ｂを通じて全て金庫に収納される。
【００４０】
この金庫収納スイッチ４４のオン・オフ判定に続いて、コインチューブＣＴ５００がオーバーフローセンサ４２の検知信号に基づき満杯となっているか（又は少数枚設定器４３で少数枚設定されているときは、コインチューブＣＴ５００内のコイン枚数が設定枚数を超えているか）（コインチューブ収納禁止指令の有無）を判定する（Ｓ８）。ここで、満杯検出と少数枚検出は何れか一方が検出判断されるもので、前述した如く、コインチューブＣＴ５００を釣り銭筒として有効に機能させる場合はオーバーフローセンサ４２を機能させ、一方、５００円コインの損害減少を図るときは少数枚設定器４３を機能させる。この何れかの検出があったときは、コインチューブＣＴ５００への５００円コインの収容が規制され、前述した金庫収納処理が行われる（Ｓ７）。一方、これら何れも検出されないときは、通常通りコインチューブ収納処理が行われる（Ｓ９）。このコインチューブ収納処理では、ソレノイドＳＣ５のみ所定時間励磁し、５００円コインがコイン収納路Ｄを通じてコインチューブＣＴ５００に収納される。
【００４１】
次に、コイン保留時に返却レバー４４が操作されたときは（Ｓ４）、前述した保留解除処理が行われる（Ｓ１０）。これにより、５００円コインが第５振り分け部２０５側に搬出される。ここで、第５振り分け部２０５のソレノイドＳＣ５及び第８振り分け部２０８のソレノイドＳＣ６は励磁状態（ＯＮ）となっているため、図５の実線に示すように、５００円コインが返却通路Ｃを通り返却口に返却される（Ｓ１１）。
【００４２】
以上説明したように、本実施形態に係るコイン処理装置によれば、保留解除された５００円コインが、コイン収納部に入る前段階で、返却口、金庫又はコインチューブＣＴ５００に振り分けられるから、従来の如く、コインチューブＣＴ５００の一部に振り分け機構を設置する必要がなく、コインチューブＣＴ５００のコイン収納容量が大きくなる。
【００４３】
また、コインチューブＣＴ５００を収納量を少枚数に設定する場合でも、第８振り分け部を制御することにより、この設定を実現することができる。
【００４４】
更に、紙幣処理装置が搭載されていない自動販売機等に本実施形態に係るコイン処理装置を搭載する場合は、金庫収納指令スイッチ４４をオンすることにより、投入された５００円コインを全て金庫に収納することができる。
【００４５】
なお、金庫収納指令スイッチ４４の代わりに紙幣処理装置の搭載の有無をマイコン４０で判定し、この判定信号に基づき第８振り分け部２０８を制御し、５００円コインを全て金庫に収納するようにしても良い。
【００４６】
【発明の効果】
以上説明したように、請求項１の発明によれば、保留解除されたコインが、コイン収納部に入る前段階で、返却口、金庫又はコインチューブに振り分けられるため、従来の如く、コインチューブの一部に振り分け機構を設置する必要がなく、コインチューブのコイン収納容量が大きくなる。また、コインチューブの収納量を少枚数に設定する場合でも、下振り分け部を制御することにより、この設定を実現することができる。
【００４７】
請求項３及び請求項４の発明によれば、紙幣処理装置が搭載されていない自動販売機等において、釣り銭として払い出しが不要なコインを金庫に全て収納することができる。
【図面の簡単な説明】
【図１】コイン処理装置のコイン識別部及びコイン振り分け部を示す内部構造図
【図２】コイン処理装置のコイン振り分け部及びコイン収納部の構造を示す斜視図
【図３】第２振り分け部の動作を示す断面図
【図４】第６振り分け部及び第７振り分け部の動作を示す断面図
【図５】第５振り分け部及び第８振り分け部の動作を示す断面図
【図６】コイン処理装置の駆動制御回路を示すブロック図
【図７】コインの一時保留制御を示すフローチャート
【図８】コイン１枚の一時保留動作及び搬出動作を示す概略説明図
【図９】コイン２枚の一時保留動作及び搬出動作を示す概略説明図
【符号の説明】
１０…コイン識別部、２０…コイン振り分け部、３０…コイン収納部、２０１〜２０８…各振り分け部、２１１…第１の一時保留部、２１２…第２の一時保留部、ＳＣ１〜ＳＣ６…ソレノイド。
【図１】
0004542669.tif 000002
【図２】
0004542669.tif 000003
【図３】
0004542669.tif 000004
【図４】
0004542669.tif 000005
【図５】
0004542669.tif 000006
【図６】
0004542669.tif 000007
【図７】
0004542669.tif 000008
【図８】
0004542669.tif 000009
【図９】
0004542669.tif 000010